(57)【要約】【課題】  現状の遊歩道・街路樹・植栽・公園・家屋・庭・施設周辺等は、未舗装が大半であり、一部はアスファルト、コンクリートは大型機械による舗装がされており、施工作業は煩雑であり、あくまで合理性が主である。かつ、アスファルト、コンクリート舗装はヒートアイランド現象の問題を抱えている。【解決手段】  遊歩道・街路樹・植栽・公園・家屋・庭・施設周辺等のアスファルト、コンクリート、及び土砂の表面に舗装工事施工方法に係り、アスファルト、コンクリート、及び土砂の表面に舗装材料を敷き均し・転圧・表面仕上げをし、固化部表面に舗装、かつ工程の簡略化により工事期間の短縮、ヒートアイランド現象の抑制効果及び自然らしい景観舗装を可能とした。【選択図】図２
2009293358.tif 000002
【特許請求の範囲】
【請求項１】
骨材とモルタル接着増強剤と着色剤を含むことを特徴とする舗装材料。
【請求項２】
モルタル接着増強剤（粉末及び液体）は、骨材及び下層路盤との接着性が強く、曲げ強さ、引張り強さ、耐衝撃性及び耐摩耗性等が向上し、吸水性が低く、耐透水性を向上することを特徴とする請求項１の簡便な舗装材料。
【請求項３】
骨材１００％重量部に対しモルタル接着増強剤（１〜１０％）重量部、着色剤（１〜５％）の割合であることを特徴とする簡便な舗装材料。
【請求項４】
遊歩道・街路樹・植栽・公園・家屋・庭・施設周辺等のコンクリート、アスファルト及び土砂の表面に舗装材料を敷き均し・転圧・表面仕上げする工程と、前記遊歩道・街路樹・植栽・公園・家屋・庭・施設周辺等に、請求項１、２の舗装材料を使用して舗装面（固化部）を形成することを特徴とする施工方法。
【請求項５】
骨材（海砂・川砂・山砂・人工砂等）とモルタル接着増強剤及び着色剤をプレミックスし、袋詰めすることにより湿潤状態で長期保存が可能であることを特徴とする舗装材料。又骨材とモルタル接着増強剤のみをプレミックスすることを妨げるものではない。
【請求項６】
プレミックスされた景観舗装材を遊歩道・街路樹・植栽・公園・家屋・庭・施設周辺等のコンクリート、アスファルト及び土砂の表面に舗装面（固化部）を形成することを特徴とする請求項１に記載する施工方法。
【発明の詳細な説明】
【技術分野】
【０００１】  本発明は、遊歩道・街路樹・植栽・公園・家屋・庭・施設周辺等のコンクリート、アスファルト及び土砂の表面に舗装工事施工方法に係り、コンクリート、アスファルト及び土砂の表面に舗装材料を敷き均し・転圧・表面仕上げをし、固化部表面に舗装、かつ工程の簡略化により工事期間の短縮、ヒートアイランド現象の抑制効果及び自然らしい景観舗装を可能とした施工方法に関する。
【背景技術】
【０００２】  現状の遊歩道・街路樹・植栽・公園・家屋・庭・施設周辺等は、未舗装が大半であり、一部はアスファルト、コンクリートは大型機械による舗装がされており、施工作業は煩雑であり、あくまで合理性が主である。かつ、アスファルト、コンクリート舗装はヒートアイランド現象の問題を抱えている。
【発明の開示】
【発明が解決しようとする課題】
【０００３】  現状の遊歩道・街路樹・植栽・公園・家屋・庭・施設周辺等は、主にアスファルト、コンクリート張り工事方法が採用されている。遊歩道・街路樹・植栽・公園・家屋・庭・施設周辺等の草木・土砂をすきとり除去し、アスファルト、コンクリート打設・養生することで、遊歩道・街路樹・植栽・公園・家屋・庭・施設周辺等の洗堀・草木の繁茂を防ぎ、路面の補修・草刈・草取り作業を回避するようにしているが、いずれも期待される除草機能を発揮するには至らず、あるいは施工が複雑で経済性が低いなどの理由で未整備もしくは放置されている状況にある。【０００４】  本発明が解決しようとする課題は、要求される簡便な遊歩道・街路樹・植栽・公園・家屋・庭・施設周辺等の景観保護機能を果たした舗装方法で、その継続性を維持し、ヒートアイランド現象等を抑制する、優れた技術を提供することである。【０００５】  本発明は、上述した問題に対処するものであって、その目的は、工事期間の短縮と工法簡略化が図れるとともに、ヒートアイランド現象を抑制し、地球温暖化に貢献できる施工方法を提供することである。
【問題を解決するための手段】
【０００６】  モルタル接着増強剤（エチレン酢酸ビニル共重合体）（粉末・水溶液）を用いる。モルタル接着増強剤を用いるのは、骨材の接着及び下層に対する接着性が向上し、曲げ強さ、引張り強さ、耐衝撃性及び耐摩耗性が向上し、さらに吸水性が低く、耐透水性が向上する効果がある。
モルタル接着増強剤の使用量は、骨材１００重量部に対し、モルタル接着増強剤（１〜１０）重量部が望ましい。少なすぎると目的とする効果が得られない。
【０００７】  着色剤（シリコンアクリル樹脂）を用いる。
着色剤を用いるのは、用途・環境によって色を自由に選択でき、さらに汚れ・塩害・紫外線・酸性雨・排気ガスに強い特徴がある。
着色剤の使用量は、骨材１００重量部に対し、着色剤（１〜５）重量部が望ましい。
色の濃淡によって増減する。
【発明の効果】
【０００８】  簡便な舗装としての機能を果たすためには、１．簡単に人力で施工できる。２．舗装面（硬化体）の圧縮強度が３Ｎ／ｍｍ２以上の範囲であること。３．周辺の環境に調和する自然らしさ。４．骨材とモルタル接着増強剤及び着色剤を混ぜることにより好みに色を表現することができる。５．ヒートアイランド現象の緩和・抑制効果が期待できる。これらの機能を果たす効果が期待できる。
【発明を実施するための最良の形態】
【０００９】  本発明になる簡便な舗装の材料は、骨材、モルタル接着増強材（粉末・水溶液）、着色剤を含む。【００１０】  上記組成の材料硬化体の物性を、図−１に示す。
【実施例】
【００１１】  以下、図面を参照しながら、本発明を具体化した実施例について説明する。
図−２は、本発明の実施例を示し、作業工程を説明するための工程図である。【００１２】
2009293358.tif 000003
し、遊歩道、街路樹・植栽・公園・家屋・庭・施設周辺等に舗装部（固化部）を形成するようにした構成よりなる。【００１３】  舗装面の不陸・転圧整正・清掃・洗浄工程は、遊歩道・街路樹・植栽・公園・家屋・庭・施設周辺等に配設されている土砂の表層土の一部を取り除き及びコンクリート、アスファルト面の清掃・洗浄する工程である。【００１４】  舗装材敷き均し工程は、該当残土層・アスファルト、コンクリート面に舗装材を敷き均しする工程である。【００１５】  締め固め・表面仕上げする工程は、前工程で敷き均した舗装材を締め固め・表面仕上げする工程である。【００１６】  以上の結果より、本実施施工例の場合、従来の工法に比べて、工法も簡略化され、工期も短縮して舗装できることが確認できた。【００１７】  本発明は上述した実施例に限定されるものではなく、本発明の要旨を変更しない範囲内で変形実施できる構成を含む、本発明は、遊歩道・街路樹・植栽・公園・家屋・庭・施設周辺等についての構成であるが、必要に応じて、他の路面や地面等における舗装対策施工方法としても摘要できる。【００１８】  以上の説明のように、本発明の施工方法によれば、遊歩道・街路樹・植栽・公園・家屋・庭・施設周辺等に配設されている表層土の一部を取り除き、舗装材の敷き均し、転圧、表面仕上げ・固化・養生するようにしているので、アスファルト、コンクリート面及び土砂の上にそのまま施工できるので、施工期間を短縮できるという効果を有する。
【図１】
2009293358.tif 000004
【図２】
2009293358.tif 000005
【手続補正書】
【提出日】平成20年7月22日(2008.7.22)
【手続補正１】
【補正対象書類名】明細書
【補正対象項目名】全文
【補正方法】変更
【補正の内容】
【発明の詳細な説明】
【技術分野】
【０００１】  本発明は、遊歩道・街路樹・植栽・公園・家屋・庭・施設周辺等のコンクリート、アスファルト及び土砂の表面に舗装工事施工方法に係り、コンクリート、アスファルト及び土砂の表面に舗装材料を敷き均し・転圧・表面仕上げをし、固化部表面に舗装、かつ工程の簡略化により工事期間の短縮、ヒートアイランド現象の抑制効果及び自然らしい景観舗装を可能とした施工方法に関する。
【背景技術】
【０００２】  現状の遊歩道・街路樹・植栽・公園・家屋・庭・施設周辺等は、未舗装が大半であり、一部はアスファルト、コンクリートは大型機械による舗装がされており、施工作業は煩雑であり、あくまで合理性が主である。かつ、アスファルト、コンクリート舗装はヒートアイランド現象の問題を抱えている。
【発明の開示】
【発明が解決しようとする課題】
【０００３】  現状の遊歩道・街路樹・植栽・公園・家屋・庭・施設周辺等は、主にアスファルト、コンクリート張り工事方法が採用されている。遊歩道・街路樹・植栽・公園・家屋・庭・施設周辺等の草木・土砂をすきとり除去し、アスファルト、コンクリート打接・養生することで、遊歩道・街路樹・植栽・公園・家屋・庭・施設周辺等の洗堀・草木の繁茂を防ぎ、路面の補修・草刈・草取り作業を回避するようにしているが、いずれも期待される除草機能を発揮するには至らず、あるいは施工が複雑で経済性が低いなどの理由で未整備もしくは放置されている状況にある。【０００４】  本発明が解決しようとする課題は、要求される簡便な遊歩道・街路樹・植栽・公園・家屋・庭・施設周辺等の景観保護機能を果たした舗装方法で、その継続性を維持し、ヒートアイランド現象等を抑制する、優れた技術を提供することである。【０００５】  本発明は、上述した問題に対処するものであって、その目的は、工事期間の短縮と工法簡略化が図れるとともに、ヒートアイランド現象を抑制し、地球温暖化に貢献できる施工方法を提供することである。
【課題を解決するための手段】
【０００６】  モルタル接着増強剤（エチレン酢酸ビニル共重合体）（粉末・水溶液）を用いる。モルタル接着増強剤を用いるのは、骨材の接着及び下層に対する接着性が向上し、曲げ強さ、引張り強さ、耐衝撃性及び耐摩耗性が向上し、さらに吸水性が低く、耐透水性が向上する効果がある。
モルタル接着増強剤の使用量は、骨材１００重量部に対し、モルタル接着増強剤（１〜１０）重量部が望ましい。少なすぎると目的とする効果が得られない。【０００７】  着色剤（シリコンアクリル樹脂）を用いる。
着色剤を用いるのは、用途・環境によって色を自由に選択でき、さらに汚れ・塩害・紫外線・酸性雨・排気ガスに強い特徴がある。
着色剤の使用量は、骨材１００重量部に対し、着色剤（１〜５）重量部が望ましい。色の濃淡によって増減する。
【発明の効果】
【０００８】  簡便な舗装としての機能を果たすためには、１．簡単に人力で施工できる。２．舗装面（硬化体）の圧縮強度が３Ｎ／ｍｍ２以上の範囲であること。３．周辺の環境に調和する自然らしさ。４．骨材とモルタル接着増強剤及び着色剤を混ぜることにより好みに色を表現することができる。５．ヒートアイランド現象の緩和・抑制効果が期待できる。これらの機能を果たす効果が期待できる。
【発明を実施するための最良の形態】
【０００９】  本発明になる簡便な舗装の材料は、骨材、モルタル接着増強剤（粉末・水溶液）、着色剤を含む。【００１０】  上記組成の材料硬化体の物性を、図−１に示す。
【実施例】
【００１１】  以下、図面を参照しながら、本発明を具体化した実施例について説明する。図−２は、本発明の実施例を示し、作業工程を説明するための工程図である。【００１２】  実施例の施工方法は、概略すると、▲１▼舗装面の不陸・転圧整正及び清掃・洗浄工程、▲２▼舗装材敷き均し工程、▲３▼締め固め・表面仕上げ工程との３工程を有し、遊歩道・街路樹・植栽・公園・家屋・庭・施設周辺等に舗装部（固化部）を形成するようにした構成よりなる。【００１３】  舗装面の不陸・転圧整正・清掃・洗浄工程は、遊歩道・街路樹・植栽・公園・家屋・庭・施設周辺等に配設されている土砂の表層土の一部を取り除き及びコンクリート、アスファルト面の清掃・洗浄する工程である。【００１４】  舗装材敷き均し工程は、該当残土層・アスファルト、コンクリート面に舗装材を敷き均しする工程である。【００１５】  締め固め・表面仕上げする工程は、前工程で敷き均した舗装材を締め固め・表面仕上げする工程である。【００１６】  以上の結果より、本実施施工例の場合、従来の工法に比べて、工法も簡略化され、工期も短縮して舗装できることが確認できた。【００１７】  本発明は上述した実施例に限定されるものではなく、本発明の要旨を変更しない範囲内で変形実施できる構成を含む、本発明は、遊歩道・街路樹・植栽・公園・家屋・庭・施設周辺等についての構成であるが、必要に応じて、他の路面や地面等における舗装対策施工方法としても摘要できる。【００１８】  以上の説明のように、本発明の施工方法によれば、遊歩道・街路樹・植栽・公園・家屋・庭・施設周辺等に配設されている表層土の一部を取り除き、舗装材の敷き均し、転圧、表面仕上げ・固化・養生するようにしているので、アスフアルト、コンクリート面及び土砂の上にそのまま施工できるので、施工期間を短縮できるという効果を有する。
【図面の簡単な説明】
【００１９】
【図１】圧縮強度試験表  ＊図１中の数字は配合量（重量部）である。  ＊骨材のサイズは（７−０ｍｍ）である。  ＊モルタル接着増強剤（酢酸ビニル系共重合体粉末樹脂）は旭化成ケミカルズ社のＶｉｎｎａｐａｓ（ＲＥ５０３４Ｎ）である。  ＊着色剤は合成樹脂（アクリル）塗料、水系である。
【図２】作業工程図  ＊１）は土質面の除草、不陸・転圧整正（基盤の支持力強化）及びコンクリート・アスファルト面は接着力を増すために清掃・洗浄する。  ＊２）は舗装材（マサゴコート）を均一に敷き均しする。  ＊３）はコテ・ランマー等で均一に締め固め及び表面を仕上げする。